(57)【要約】【課題】  ペットの足を洗浄するのに、人の手を煩わせない、ペットの苦痛、恐怖感といった精神的負担を抑える、人、ペット双方に、安全で、優しい、実用的な、ペット足洗浄器を提供することを目的とするものである。【解決手段】  ペットの足上と足裏を洗浄するのに給水手段からの水流で足上洗浄ブラシ５と足裏洗浄ブラシ１０とに接続された足上用タービン６と足裏用タービン１１とを回転させ一度にペットの足四足を洗浄するペット足洗浄器である。【選択図】図１
2012080813.tif 000002
【特許請求の範囲】
【請求項１】
ペットの足の上部を洗浄する足上洗浄部分に設けられた足上洗浄部材と、この足上洗浄部材に接続された上翼車と、前記足上洗浄部分の下部に配置するペットの足裏を洗浄する足裏洗浄部分と、この足裏洗浄部分の上部に設けられたペットの足を支える足受け部材と、前記足裏洗浄部分に設けられた足裏を洗浄する足裏洗浄部材と、この足裏洗浄部材に接続された下翼車と、給水手段に接続された導管と、この導管からの水流によって前記上翼車と前記下翼車を回転させてペットの足上と足裏とを洗浄するペット足洗浄器。
【請求項２】
足上洗浄部分の下部に配置する足裏洗浄部分とで一対とした足上洗浄部分二対が並置されて移動調節可能に組み込まれる洗浄部筐体と、この洗浄部筐体二組が並置されて移動調節可能に組み込まれる洗浄部筐体枠と、この洗浄部筐体枠を本体容器に収容する請求項１記載のペット足洗浄器。
【請求項３】
給水手段として洗浄媒体の水を温水にして送り出す機能と洗浄後の乾燥に洗浄媒体を乾燥媒体の温風に切り替えて送り出す機能を有する動力部と、この動力部と分離配置し連結して洗浄と乾燥とをする請求項１または２のいずれか１項に記載のペット足洗浄器。                                                                                                                                                                                                                                                                                    
【発明の詳細な説明】
【技術分野】
【０００１】
本発明は、ペットを散歩や屋外に連れ出した後、汚れたペットの足の洗浄に使用するペット足洗浄器に関する。
【背景技術】
【０００２】
従来この種の洗浄器は、ペットの足と全身を洗浄するか、ペットの足裏のみの洗浄か、また、足一足を洗浄するもので、ペットに大きな負担がかかり、人の手を煩わせ、双方にとって大変辛いものであった。解消するのに実用的で満足できるものはなかった。
下記の特許文献１には、ペットの足裏のみを洗浄するものが開示される。
また、下記の特許文献２には、ペットの足一足ずつを洗浄するものが開示される。
また、下記の特許文献３には、ペットの洗浄に用いる洗浄ブラシが開示される。
【先行技術文献】
【特許文献】
【０００３】
【特許文献１】特開２００６−０６７８６０
【特許文献２】特開２００８−０８６２９４
【特許文献３】実用新案登録  ３１０１３０５
【発明の概要】
【発明が解決しようとする課題】
【０００４】
、
しかしながら、上記の特許文献１の技術は、ペットの足四足の足裏だけの洗浄に供するもので到底実用的とは言えなかった。
また、特許分献２の技術は、ペットの足一足ずつを洗浄するものでこれも人の手を煩わせ、電気モーターを使って直上で洗浄するため、振動や騒音もペットには、精神的負担になり、また電気と水を使用している構造のため、感電の二次的な危険性も無視できず、満足出来るものではない。
また、特許文献３の技術は、ハンドブラシ型で足の洗浄にもつかえるが、時間も掛かり、人の手を煩わせるものである。
以上述べた従来技術は、人の手を煩わせ、あまりペットに主眼を置いたものは無かった。
従って本発明は、一度にペットの足四足を洗浄して、人に余分な手を煩わせない、ペットの拘束感や恐怖感といった精神的負担を抑える、人ペット双方に安全で優しい実用的なペット足洗浄器を提供することを目的とする。
【課題を解決するための手段】
【０００５】
そこで、本発明は上記目的を達成するための、ペットの足の上部を洗浄する足上洗浄部分に設けられた足上洗浄部材と、この足上洗浄部材に接続された上翼車と、前記足上洗浄部分の下部に配置するペットの足裏を洗浄する足裏洗浄部分と、この足裏洗浄部分の上部に設けられたペットの足を支える足受け部材と、前記足裏洗浄部分に設けられた足裏を洗浄する足裏洗浄部材と、この足裏洗浄部材に接続された下翼車と、給水手段に接続された導管と、この導管からの水流によって前記上翼車と前記下翼車を回転させてペットの足上と足裏とを洗浄するペット足洗浄器である。
【０００６】
第二の課題解決手段は、上記足上洗浄部分の下部に配置する上記足裏洗浄部分とで一対とした足上洗浄部分二対が並置されて移動調節可能に組み込まれる洗浄部筐体と、この洗浄部筐体二組が並置されて移動調節可能に組み込まれる洗浄部筐体枠と、この洗浄部筐体枠を本体容器に収容するペット足洗浄器である。
【０００７】
第三の課題解決手段は、前記ペット足洗浄器が、給水手段として洗浄媒体の水を温水にして送り出す機能と洗浄後の乾燥に洗浄媒体を乾燥媒体の温風に切り替えて送り出す機能を有する動力部と、この動力部と分離配置し連結して洗浄と乾燥とをするペット足洗浄器である。
【発明の効果】
【０００８】
上述したように本発明のペット足洗浄器は、足上足裏それぞれの洗浄部材で回転洗浄するのに、洗浄水自身を動力源と洗浄とに併用する構造で、モーターを使わないため、モーターの振動や騒音が無く特にペットの敏感な感性に有効で、電気の無い場所でも上水道の水流だけで洗浄できる。このことは、人の手を煩わせず、感電などの二次的な危険性も回避でき、人、ペット双方に安全で優しい、実用的に優れたペット足洗浄器を提供できる。
【０００９】
また、このペット足洗浄器は、ペットの種類サイズに応じて、ペットの足を入れる位置を、自然な姿勢で洗浄が出来るように移動調節可能なため、ペットの精神的負担を抑えられ、またペットの足四足を一度に洗浄可能で、時間の短縮になり、余分に人の手を煩わせない。このことは、人、ペット双方に優しい実用的に優れたペット足洗浄器を提供できる。
【００１０】
そして、このペット足洗浄器が、動力部と分離配置し連結したことは、ペットに対して動力部の振動や騒音が低減され精神的負担を抑えられ、上水道の無い場所でも洗浄媒体の水があれば温水としても洗浄できるため、気温の低い時期はペットに優しいものになる。また、洗浄後の乾燥時には、洗浄媒体である水を温風に切り替えての乾燥も可能である。このことは、場所を選ばない洗浄効果の高い、人、ペット双方に優しい、実用的に優れたペット足洗浄器を提供できる。
【図面の簡単な説明】
【００１１】
【図１】本発明の一実施形態の縦断面図にペットの足を入れた構成図を示す。
【図２】本発明の一実施形態の、本体容器内に収容される足上洗浄部分と足裏洗浄部分の平面図と、その一部切欠図も示す。
【図３】本発明の一実施形態の足裏洗浄部分の、平面を示す。
【発明を実施するための形態】
【００１２】
本発明の実施形態を、図1に示す。この図は、ペット足洗浄器の縦断面図にペットの足を入れた構成図を示す。
ペットの足上と足裏を洗浄する、足上洗浄部分４と足裏洗浄部分８とで、ペットの足一足分に対応する。足上洗浄部分４の下部に足裏洗浄部分受け口１３で足裏洗浄部分８が配置される構造である。この足上洗浄部分４は、円筒形で内面に足上洗浄部材として足上洗浄ブラシ５が、毛先を内向きに螺旋状に固定され、上部に上翼車として足上用タービン６が接続され、また外面の上、下２箇所でそれぞれ支持材として上部ベアリング７ａと下部ベアリング７ｂで支持される。ここで、足上洗浄部分４の直径は、ペットの洗浄する足が無理なく入り、苦痛を与えず洗浄にも有効な寸法として、足径の数倍である。一方足裏洗浄部分８は、円筒形で、最上部に足受け部材として足裏洗浄ネット９が固定され、内部に足裏洗浄部材として足裏洗浄ブラシ１０と、下翼車として足裏用タービン１１が同一回転軸１２で一体形成されて、接続される。  
【００１３】
この足上洗浄部分４が、上部ベアリング７ａと下部ベアリング７ｂを、介して移動調節が可能に洗浄筺体３に二つ組み込まれ、さらにこの洗浄部筐体３二組が、洗浄部筐体枠２に移動調節が可能に組み込まれる。また、洗浄部筐体枠２の、上方全体を、目隠しブラインドとして帯状の枠付目隠しブラインド１４が、覆い被せる形で固定され本体容器１に収容される。ここで、ペットの足を入れる帯状の枠付目隠しブラインド１４は、帯幅をペットの足を入れて隙間から洗浄水の飛散を最小限に抑える寸法の、また枠を数枚に分割して脱着可能な、構造とする。
【００１４】
この足上洗浄部分４の四箇所に、帯状の枠付目隠しブラインド１４の隙間からペットの足四足をそれぞれ入れて足上と足裏を洗浄する。このとき予め、洗浄部筐体３と洗浄部筐体枠２に組み込まれている足上洗浄部分４は、ペットのサイズに応じて足を入れる位置を自然な姿勢で洗浄できるように調節をする。これで、給水手段に接続した足上洗浄水導管１５と足裏洗浄水導管１７を通して、足上洗浄水噴射口１６と足裏洗浄水噴射口１８より噴射される水流で足上洗浄用タービン６に接続する足上洗浄ブラシ５と足裏洗浄用タービン１１に接続される足裏洗浄ブラシ１０とが回転して洗浄する。
【００１５】
ここで足上用タービン６の構造は、水流で自身を回転させると共に水を下方へ流し、下部に配置される足上洗浄ブラシ５と足裏洗浄ブラシ１０とに給水させることが出来る。  
そして、このペット足洗浄器と分離配置しパイプで連結する、図示しないものの、時間設定、洗浄と乾燥との媒体の温度設定、ポンプ、機能も兼ね備える動力部がある。  
また、互いに連結する、パイプ、付随するコック類は、図中省略する。                  
【００１６】
「実施形態の効果」
この実施形態によれば、帯状の枠付目隠しブラインド１４の隙間からペットの足四足を入れて足上と足裏を洗浄する。このときペットが自然な姿勢で洗浄できるように調節が可能なため、ペットの拘束感や恐怖感を和らげる。またこの帯状の枠付ブラインド１４が、洗浄水の飛散を防いで洗浄対象部位より上を濡れなくし、このペット足洗浄器の内部構造を目隠しし、精神的負担を抑えて、機能する。そして、洗浄の動力源にモーターを使わない構造のため、モーターの振動や騒音が無くペットの敏感な感性に特に有効で、電気の無い場所でも上水道の水流だけで使用できる。さらに温水道に繋げば、温水での洗浄が可能になり、気温の低い時期はなおいっそう有効である。またペットの足四足を一度に洗浄するので時間の短縮になり、人の手を煩わせない。よって、人、ペット双方に、安全で優しい、実用的に優れたペット足洗浄器になる。
【００１７】
そして、動力部を分離配置してこのペット足洗浄器と連結したことで、上水道の無い場所でも洗浄水があれば温水として洗浄も、温風での乾燥も可能になり、気温の低い時期は人ペットに優しいものになる。このことは、場所を選ばない、洗浄効果の高い、人、ペット双方に優しい実用的に優れたペット足洗浄器になる。
【００１８】
「他の実施形態」
図１の実施形態では、洗浄対象部位以外を濡れなくし、ペットの恐怖感を和らげる、帯状の枠付目隠しブラインド１４が用いられているが、乾燥時の乾燥をなおいっそう有効にするために足洗浄部の直上に乾燥媒体の放出を抑える遮蔽部材を固定することも考えうる。そして、本体容器底部を洗浄水のタンク構造にすると、洗浄水の排水を制御出来て、またタンクに洗剤を加えると、より洗浄効果を高める。なお、この動力部の電源を多種に選択可能なものにすれば、いっそう場所を選ばない有効なものになる。
【符号の説明】
【００１９】
１      本体容器
２      洗浄部筐体枠
３      洗浄部筐体
４      足上洗浄部分
５      足上洗浄ブラシ（足上洗浄部材）
６      足上用タービン（上翼車）
７ａ    上部ベアリング
７ｂ    下部ベアリング
８      足裏洗浄部分
９      足裏洗浄ネット（足受け部材）
１０    足裏洗浄ブラシ（足裏洗浄部材）
１１    足裏用タービン（下翼車）  
１２    同一回転軸
１３    足裏洗浄部分受け口  
１４    帯状の枠付目隠しブラインド
１５    足上洗浄水導管
１６    足上線浄水噴射口
１７    足裏洗浄水導管
１８    足裏洗浄水噴射口
１９    洗浄水排水口
２０    洗浄水タンクオーバーフロー口
２１    ペットの足部分    
【図１】
2012080813.tif 000003
【図２】
2012080813.tif 000004
【図３】
2012080813.tif 000005